(57)【要約】【課題】  回転棚上に大型の物品を載せて収納できるキャビネットを提供すること。【解決手段】  収納庫２と、収納庫２の内部に、回転中心が実質的に同一垂直軸上に位置するよう、上下に間隔をあけて設置された上段の回転棚３及び下段の回転棚４とを備え、上段の回転棚３を収納庫２の上部から吊り下げ、下段の回転棚４を収納庫２の底板によって支持してある。【選択図】          図１
2006263198.tif 000002
【特許請求の範囲】
【請求項１】
収納庫と、該収納庫の内部に、回転中心が実質的に同一垂直軸上に位置するよう、上下に間隔をあけて設置された上段の回転棚及び下段の回転棚とを備え、前記上段の回転棚を前記収納庫の上部から吊り下げ、前記下段の回転棚を前記収納庫の底板によって支持してあることを特徴としたキャビネット。
【請求項２】
前記上段の回転棚に切り欠きを設け、前記上段の回転棚と下段の回転棚とを、連動するよう互いに連結した請求項１に記載のキャビネット。
【請求項３】
着脱可能な収納ラックを用いて前記上段の回転棚と下段の回転棚とを連結した請求項２に記載のキャビネット。
【請求項４】
前記上段の回転棚の切り欠きに、該切り欠きに収まる形状の蓋体を着脱可能に取り付けた請求項２又は３に記載のキャビネット。
【請求項５】
前記上段の回転棚の切り欠きに、該切り欠きに収まる形状の蓋体をスライドによって開閉自在に取り付けた請求項２又は３に記載のキャビネット。
【請求項６】
前記上段の回転棚の上方に収納物吊り下げ部を設けた請求項１乃至５のいずれかに記載のキャビネット。
【請求項７】
前記収納物吊り下げ部を、前記上段の回転棚と回転中心を共有し、独立して回転可能に取り付けてある請求項６に記載のキャビネット。
【発明の詳細な説明】
【技術分野】
【０００１】
本発明は、収納空間内に物品を載置するための回転棚を設けたキャビネットに関する。
【背景技術】
【０００２】
キャビネットの内部には、収納空間を効率よく使うために、複数の棚を上下に重ねて設置することが多い。
従来、前面開口部が狭かったり、奥行きが深くても、棚の奥部に物品を出し入れしやすいように、複数の棚を、垂直軸を中心に回転可能としたキャビネットが提案されている（特許文献１及び特許文献２参照）。
ところが、上記従来のキャビネットは、１本のシャフトの周囲に各回転棚を取り付けてあるので、回転棚の中心部上方にシャフトが起立し、このシャフトに邪魔されて、棚上に大きい物品を載せることができないという欠点があった。
【０００３】
【特許文献１】実公平５−２０１８２号公報
【特許文献２】実開昭６０−１８２８５０号公報
【発明の開示】
【発明が解決しようとする課題】
【０００４】
本発明が解決しようとする課題は、回転棚上に大型の物品を載せて収納できるキャビネットを提供することにある。
【課題を解決するための手段】
【０００５】
本発明のキャビネットは、収納庫と、該収納庫の内部に、回転中心が実質的に同一垂直軸上に位置するよう、上下に間隔をあけて設置された上段の回転棚及び下段の回転棚とを備え、前記上段の回転棚を前記収納庫の上部から吊り下げ、前記下段の回転棚を前記収納庫の底板によって支持してある。
前記上段の回転棚に切り欠きを設け、前記上段の回転棚と下段の回転棚とを、連動するよう互いに連結すると良い。
この場合、着脱可能な収納ラックを用いて前記上段の回転棚と下段の回転棚とを連結しても良い。
また、前記上段の回転棚の切り欠きに、該切り欠きに収まる形状の蓋体を着脱可能に取り付けるか、或いは、スライドによって開閉自在に取り付けても良い。
前記上段の回転棚の上方に、収納物吊り下げ部を設けることもできる。この収納物吊り下げ部を、前記上段の回転棚と回転中心を共有し、且つ、独立して回転可能に取り付けても良い。
【発明の効果】
【０００６】
請求項１に係る発明によれば、下段の回転棚の中心部上方にシャフトを立設する必要がないので、下段の回転棚上に大型の物品を収納することができる。
請求項２に係る発明によれば、切り欠きを通過する縦長の収納スペースが形成されるので、縦長の物品を転倒しないように収納することができる。
請求項３に係る発明によれば、収納力が高まり、収納ラックを取り去れば、上段の回転棚と下段の回転棚とを独立して回転させることができる。
請求項４及び５に係る発明によれば、縦長の物品を収納しない場合には、不要な切り欠きを塞いで、この部分にも物品を収納することが可能となる。
請求項６に係る発明によれば、物品を吊り下げて効率よく収納することができる。
請求項７に係る発明によれば、収納物吊り下げ部を単独で回転させて、両面側から容易に物品を吊り下げたり、取り外すことができる。
【発明を実施するための最良の形態】
【０００７】
以下、高所に設置した電動昇降式のキャビネットである実施例について、図面に基づいて詳細に説明する。
【実施例１】
【０００８】
図１乃至図１２は、本発明の実施例１を示す。
本発明のキャビネットは、図１乃至図３に示すように、下面が開口した外筺体１と、下面を通して外筺体１に出し入れされる昇降可能な収納庫２と、収納庫２の内部に、上下に間隔をあけて設置された上段の回転棚３及び下段の回転棚４とを備える。
外筺体１は、壁面の高所に取り付けられ、その下面が開口している。また、外筺体１の一つの角部には上下方向に沿って物品取り出し口１ａが形成される。
収納庫２は、円筒形に形成され、その側面の物品取り出し口１ａと合致する位置に開口部１４を設けてある。また、収納庫２の側面の両側縁及び中央部にはそれぞれ補強柱３４が配設されている。
さらに、収納庫２は巻き上げワイヤ５を介して外筺体１に連結され、電動モータ２７で巻き上げワイヤ５を巻き取ったり、巻き戻すことにより、外筺体１の下面を通して収納庫２を昇降させることができるようになっている。
【０００９】
上段の回転棚３と下段の回転棚４は、回転中心が実質的に同一垂直軸上に位置するよう配置される。
図４に示すように、上段の回転棚３は、中心角が９０度の１／４円に相当する切り欠き６を形成した底面３ａと、その外周縁に沿う丈の低い側面３ｂとを有するカゴから成る。また、上段の回転棚３の外周寄りには、下端面が開口した細径の上部筒７が装着されている。
図８及び図９に示すように、収納庫２の上部にフレーム３５を配置し、このフレーム３５に天板２ｂを設けると共に、フレーム３５の下方に内筒３７を垂直方向に沿って設けてある。そして、両端部に雄ネジを有する支持桿９を内筒３７の中心に挿通し、支持桿９の上端部でフレーム３５及び天板２ｂを貫通すると共に、ナット３６を介して固定してある。
上段の回転棚３の中心には、上下端面が開口し、側面３ｂよりもやや高い回転筒３ｄが立設され、回転筒３ｄの内周面に支持筒８が嵌合されている。そして、内筒３７の下部外周に支持筒８を回動可能に嵌合し、支持桿９の下端部に鍔付ナット３８を螺合して、内筒３７、支持筒８及び回転筒３ｄを下方から支持する。これにより、上段の回転棚３は収納庫２の天板２ｂから回転自在に吊り下げられる。
【００１０】
上段の回転棚３の上方には、必要に応じて、収納物吊り下げ部１０を設けてもよい。収納物吊り下げ部１０は、上段の回転棚３の半径よりやや狭い幅を有する網体より成り、その一側縁に沿って外筒１１が装着されている。
そして、外筒１１を上段の回転棚３の支持筒８及び回転筒３ｄに外嵌し、その外側から止めネジ１２を締め込むことによって、収納物吊り下げ部１０は上段の回転棚３の中心から径方向に張り出される。収納物吊り下げ部１０が不要であれば、止めネジ１２を抜いて簡単に取り外すことができる。
【００１１】
収納物吊り下げ部１０には、図４に示すように、吊り下げ具２８等を用いて様々な小物類を吊り下げることができ、図５及び図６に示すように、収納物吊り下げ部１０を切り欠き６に臨んで設置しておけば、切り欠き６を通して縦長の物品を吊すこともできる。
また、図７に示すように、縦長の物品を切り欠き６に通す際に収納物吊り下げ部１０が邪魔にならないよう、底面３ａの上方に設置できる。このように設置した場合、収納物吊り下げ部１０を収納物の仕切りとして利用できる。
止めネジ１２を緩めておけば、収納物吊り下げ部１０は、上段の回転棚３と回転中心を共有して、且つ、独立して回転可能であり（図５乃至図７）、両面側から容易に物品を吊り下げたり、外したりできる。
【００１２】
図４に示すように、下段の回転棚４は、上段の回転棚３とほぼ同径で円形の底面４ａと、その外周に沿う丈の低い側面４ｂとを有するカゴから成る。
図１０に示すように、下段の回転棚４の中心に円形孔２９が形成され、この円形孔２９に円環状のスペーサ３０が嵌合されると共に、スペーサ３０内に上方から鍔付ナット３１が挿入される。そして、収納庫２の底板２ａとスペーサ３０との間にワッシャ３２を挟み、底板２ａの下方からワッシャ３２を通して鍔付ナット３１にボルト３３を螺合することにより、下段の回転棚４は収納庫２の底板２ａによって回転自在に支持される。このため、上段の回転棚３と下段の回転棚４との間にはシャフトを設ける必要が無いので、下段の回転棚４に大型の物品を載せることができる。
また、下段の回転棚４の外周寄りには、上端面が開口した下部筒１５が装着される。
【００１３】
上部筒７及び下部筒１５に連結桿１６の上下端部をそれぞれ挿入することにより、上段の回転棚３と下段の回転棚４とが外周寄りにおいて連結される。従って、上段の回転棚３と下段の回転棚４は連動して回転し、しかも、上段の回転棚３の切り欠き６を通過する縦長の収納スペースが形成されるので、下段の回転棚４に瓶類のような縦長の物品を載せて、その上部を切り欠き６に通しておけば、縦長の物品であっても倒れないよう安定して支持することができる。
【００１４】
なお、縦長の物品を収納しない場合は、図１１に示すように、着脱可能なカゴ状の蓋体１７によって切り欠き６を塞ぎ、収納力を高めることができる。蓋体１７は切り欠き６に収まる形状（中心角９０度の扇形）に形成され、その両側部に設けたフック１８を上段の回転棚３の側面３ｂに引っ掛けて取り付ける。この場合は、連結桿１６を外して、上段の回転棚３と下段の回転棚４とを独立して回転できるようにしても良い。
また、回転棚３，４に細かい物品を載せる場合には、図１２に示すように、物品がこぼれ落ちないように底面３ａ，４ａと同形の板１９を敷くと良い。
【実施例２】
【００１５】
図１３は実施例２を示す。
上段の回転棚３の切り欠き６に、網棚状の蓋体１７’が周方向へスライド可能に取り付けられている。蓋体１７’は切り欠き６とほぼ同径で、やや周長が長い扇形に形成され、スライドすることにより切り欠き６を開閉するようになっている。
蓋体１７’の一側縁には止めフック２６が装着され、蓋体１７’で切り欠き６を閉鎖した状態で、止めフック２６を切り欠き６の側縁に引っ掛けると、蓋体１７’を開けることができなくなる。また、止めフック２６を外せば、蓋体１７’をスライドさせて切り欠き６を開放することができる。
その他の構成及び使用方法は実施例１とほぼ同様なので、同一部分に同一符号を付して詳細な説明を省略する。
【実施例３】
【００１６】
図１４及び図１５は実施例３を示す。
実施例３のキャビネットでは、上段の回転棚３と下段の回転棚４とを、連結桿１６に代えて、着脱可能な収納ラック２０によって連動するよう連結してある。
収納ラック２０の一端部には梯子状の連結枠２１を設け、他端部にラップホルダ２２を立設してある。そして、収納ラック２０を切り欠き６部分に配置し、連結枠２１の上端に形成したフック２３を上段の回転棚３の側面３ｂに引っ掛け、下面に設けた脚部２４を下段の回転棚４の網目に係止して、回転棚３，４を連結する。
【００１７】
収納ラック２０の連結枠２１には小物類を引っ掛けて吊り下げることができる。また、ラップホルダ２２には、巻いたペーパータオル２５、ラップ類等の中空芯部を上方からはめ込み、切り欠き６を通過して起立状態で収納することができる。
なお、収納ラック２０を必要としない場合、或いは、収納ラック２０が邪魔になって下段の回転棚４上に大型の物品を載せられない場合等には、簡単に収納ラック２０を取り外すことができる。
その他の構成及び使用方法は、実施例１或いは実施例２とほぼ同様である。
【実施例４】
【００１８】
図１６は実施例４を示す。
実施例４のキャビネットでは、上段の回転棚３と下段の回転棚４とを、着脱可能な収納ラック２０’によって連動するよう連結する。収納ラック２０’は上面が開口した縦長のカゴより成り、その上端の一側縁両端寄りにフック２３’を、下面には脚部２４’をそれぞれ設けてある。
収納ラック２０’を切り欠き６部分に配置し、フック２３’を上段の回転棚３の側面３ｂに引っ掛け、下面に設けた脚部２４を下段の回転棚４の網目に係止して、回転棚３，４を連結する。
収納ラック２０’の内部には、上方から縦長の物品を差し込み、切り欠き６を通して起立状態で収納することができる。
その他の構成及び使用方法は、実施例３とほぼ同様である。
【００１９】
なお、回転棚３，４の底面３ａ，４ａ及び蓋体１７，１７’は隙間のない板状としても良く、上段の回転棚３の切り欠き６は、中心角を変えたり、複数個所に形成しても良い。また、収納物吊り下げ部１０は、いわゆる布巾掛けのように、回転中心から張り出した１本或いは複数本の棒材とすることもできる。
さらに、上段の回転棚３及び下段の回転棚４を支持する構造は、上段の回転棚３を収納庫２の上部から回動自在に吊り下げ、下段の回転棚４を収納庫２の底板２ａによって回動自在に支持するものであれば、実施例以外の周知構造を採用することも可能である。
また、外筺体１及び収納庫２の形状・構造は上記実施例のものに限定されない。例えば、収納庫２を手動或いは油圧シリンダで昇降させたり、回転棚３，４を昇降式ではない収納庫内に設置しても良い。
【図面の簡単な説明】
【００２０】
【図１】実施例１を示すキャビネットの収納庫上昇時における縦断面図。
【図２】実施例１を示すキャビネットの収納庫降下時における縦断面図。
【図３】実施例１に係る収納庫及び上段の回転棚の横断面図。
【図４】実施例１に係る上段及び下段の回転棚の分解斜視図。
【図５】収納物吊り下げ部を切り欠き部側縁に設置したときの回転棚の斜視図。
【図６】収納物吊り下げ部を切り欠き部に合致させたときの回転棚の斜視図
【図７】収納物吊り下げ部を上段回転棚上に回転させたときの回転棚の斜視図。
【図８】上段の回転棚及び収納物吊り下げ部の断面図。
【図９】図８の要部拡大図。
【図１０】下段の回転棚及び収納庫の要部断面図。
【図１１】実施例１に係るキャビネットの他の使用例を示す斜視図。
【図１２】さらに他の使用例を示す上段回転棚の斜視図。
【図１３】実施例２に係る上段の回転棚の斜視図。
【図１４】実施例３に係る上段及び下段の回転棚の分解斜視図。
【図１５】実施例３に係る上段及び下段の回転棚の使用状態における斜視図。
【図１６】実施例４に係る上段及び下段の回転棚の分解斜視図。
【符号の説明】
【００２１】
１  外筺体
１ａ  物品取り出し口
２  収納庫
２ａ  底板
２ｂ  天板
３  上段の回転棚
３ａ  底面
３ｂ  側面
３ｄ  回転筒
４  下段の回転棚
４ａ  底面
４ｂ  側面
５  ワイヤ
６  切り欠き
７  上部筒
８  支持筒
９  支持桿
１０  収納物吊り下げ部
１１  外筒
１２  止めネジ
１３  レードルフック
１４  開口部
１５  下部筒
１６  連結桿
１７，１７’  蓋体
１８  フック
１９  板
２０，２０’  収納ラック
２１  連結枠
２２  ラップホルダ
２３，２３’  フック
２４，２４’  脚部
２５  ペーパータオル
２６  止めフック
２７  電動モータ
２８  吊り下げ具
２９  円形孔
３０  スペーサ
３１  鍔付ナット
３２  ワッシャ
３３  ボルト
３４  補強柱
３５  フレーム
３６  ナット
３７  内筒
３８  鍔付ナット
【図１】
2006263198.tif 000003
【図２】
2006263198.tif 000004
【図３】
2006263198.tif 000005
【図４】
2006263198.tif 000006
【図５】
2006263198.tif 000007
【図６】
2006263198.tif 000008
【図７】
2006263198.tif 000009
【図８】
2006263198.tif 000010
【図９】
2006263198.tif 000011
【図１０】
2006263198.tif 000012
【図１１】
2006263198.tif 000013
【図１２】
2006263198.tif 000014
【図１３】
2006263198.tif 000015
【図１４】
2006263198.tif 000016
【図１５】
2006263198.tif 000017
【図１６】
2006263198.tif 000018